(57)【要約】【課題】ブラシホルダのスカートガードへの着脱の作業時間を短縮することのできる乗客コンベアを得ることを目的とする。【解決手段】スカートガード６が、一対の乗降口の間に延在する取付凹部６Ａを有し、ドレスガード１０が、取付凹部６Ａ内に固定され、それぞれ、ツバ部２４Ａ，２４Ｂを有する複数のホルダ装着体２０と、それぞれ、当接面３１ａ、及び当接面３１ａに対向する先端面３１ｂを有する長尺体に作製された基部３１、及び基部３１から延出されて、延出端部にそれぞれ係合部３８ｂ，３９ｂを有する３対の足部３８，３９を有し、当接面３１ａがホルダ装着体２０に当接するとともに、係合部３８ｂ，３９ｂがツバ部２４Ａ，２４Ｂに係合を解除可能に係合してホルダ装着体２０に保持され、基部３１がステップ３の移動方向に沿うように隙間無く連設された複数のブラシホルダ３０と、基部３１に配設されたブラシ４１と、を備える。【選択図】図２
2010159147.tif 000002
【特許請求の範囲】
【請求項１】
無端状に連結されて一対の乗降口の間を循環移動するステップと、上記ステップの両側に該ステップとの間に隙間を保って該ステップの移動方向に沿って延設されたスカートガードと、上記スカートガードの表面側に上記ステップの踏み面から離間して、かつ該ステップの移動方向に沿って延設されたドレスガードと、を備えた乗客コンベアにおいて、
上記スカートガードは、上記ステップの踏み面の上方で上記ステップ側に開口するように凹設され、該ステップの移動方向に沿って上記一対の乗降口の間に延在する取付凹部を有し、
上記ドレスガードは、
上記一対の乗降口の一方から他方に至るように上記ステップの移動方向に沿って上記取付凹部内に固定され、それぞれ、該ステップの移動方向及び該ステップの幅方向に直交する方向で互いに離間する方向に延出された少なくとも一対の被係合部を有する複数のホルダ装着体と、
それぞれ、当接面、及び上記当接面に対向する先端面を有する長尺体に作製された基部、及び互いに相対するように上記先端面と反対側に該基部から延出され、該基部からの延出端部にそれぞれ係合部を有する少なくとも一対の足部を有し、上記当接面が上記ホルダ装着体に当接するとともに、上記一対の係合部が上記一対の被係合部に係合を解除可能に係合して上記ホルダ装着体に保持され、上記基部が上記ステップの幅寸法を減じる方向に上記スカートガードの表面から突出するように該ステップの移動方向に沿って隙間無く連設された複数のブラシホルダと、
上記基部の長さ方向の全域にわたって上記ステップの幅寸法を減じる方向に上記ブラシホルダから突出するように配設されたブラシと、
を備えることを特徴とする乗客コンベア。
【請求項２】
スライド溝が、溝方向を上記基部の長さ方向に一致させ、上記先端面に開口するように該基部の長さ方向の全域にわたって形成され、
上記スライド溝の溝形状に一致する断面形状を有し、上記ブラシホルダと同じ長さの長尺体に作製され、該スライド溝にスライド式に嵌合されて該ブラシホルダに支持されたブラシ支持体を備え、
上記ブラシは、上記ブラシ支持体に植立されて上記スライド溝の開口から上記ステップ側に延出していることを特徴とする請求項１記載の乗客コンベア。
【請求項３】
上記一対の係合部と上記一対の被係合部との係合を解除させる係合解除力を付与するための係合解除作用部が、上記一対の足部の少なくとも一方に、上記基部の先端面側の部位と上記取付凹部の壁面との間に形成されて上記ステップ側に開口する挿入空間内に、該開口側からの操作により上記係合解除力を付与可能に設けられていることを特徴とする請求項１または請求項２記載の乗客コンベア。
【発明の詳細な説明】
【技術分野】
【０００１】
この発明は、エスカレータなどの乗客コンベアに関し、特にスカートガードに取り付けられるドレスガードのブラシホルダの取付構造に関するものである。
【背景技術】
【０００２】
従来の乗客コンベアにおいては、内溝が形成された第１の基材体を、ビスを内溝内からスカートガードの垂直面に締着固定してステップの移動方向に沿って延設し、刷毛体が植立された第２の基材体を内溝にスライド式に嵌合させて第１の基材体に取り付けて、刷毛体がステップとスカートガードとの間の隙間を覆うように構成された安全装置が提案されていた（例えば、特許文献１参照）。
【０００３】
このように構成された従来の乗客コンベアでは、ビスが第１の基材体の内溝内からスカートガードに締着固定されているので、ビスが内溝に嵌合された第２の基材体に隠れ、意匠性が向上されるとともに、第１の基材体及び第２の基材体が利用者の悪戯により取り外されることが防止される。
【先行技術文献】
【特許文献】
【０００４】
【特許文献１】特開２００３−１８２９６５号公報
【発明の概要】
【発明が解決しようとする課題】
【０００５】
特許文献１では、第１の基材体の数について、詳細に記載されていないが、上階から下階に至る長さの第１の基材体を単体で構成してスカードガードに固定するのは困難である。つまり、複数の第１の基材体が、上階から下階に至るまで隙間なくステップの移動方向に沿って延設されるように、第１基材体のそれぞれをスカートガードにビスで固定する必要がある。そして、例えば、第１の基材体と同じ長さの第２の基材体を複数用意し、複数の第２の基材体を第１の基材体の内溝に、順次、スライド式に嵌合させて第１の基材体に取り付ける必要がある。このため、従来の乗客コンベアでは、下記の問題が発生する。
【０００６】
例えば、ステップの移動方向の中央に位置する第１の基材体を交換したり清掃したりするために、第１の基材体を着脱する作業について説明する。まず、最下端（または最上端でもよい）に位置する第２の基材体を、最下端に位置する第１の基材体の内溝内をスライド移動して取り外す。以降、最下端から２番目に位置する第２の基材体から、取り外し対象の第１の基材体に嵌合された第２の基材体までを、順次、ステップの移動方向に沿って延設された第１の基材体の内溝内を下方にスライド移動させ、取り外し対象の第１の基材体の内溝全体を露出させる。そして、取り外し対象の第１の基材体を固定していたビスを外し、第１の基材体をスカートガードから取り外す。
【０００７】
第１の基材体の取り外し箇所に、再度第１の基材体を取り付け、第２の基材体を元に戻すには、まず、取り付け対象の第１の基材体を、取り外した第１の基材体が位置していた場所に配置し、ビスによりスカートガードに締着固定する。次いで、スライド移動させた第２の基材体を、ステップの移動方向に沿って延設された第１の基材体の内溝内を上方にスライド移動させて、順次、元の位置に戻す。最後に、取り外した第２の基材体を、最下端に位置する第１の基材体の内溝に挿入し、安全装置を復元する。
【０００８】
このように、第１の基材体の一つを取り外す場合でも、最下端または最上端と取り外したい第１の基材体との間に位置する複数の第１の基材体に嵌合されている第２の基材体のすべてを順次スライド移動させる必要がある。また、取り外した第１の基材体を元の位置に再固定した後には、スライド移動させた第２の基材体を元の位置まで再びスライド移動させる作業が必要となる。このように、第１の基材体の着脱作業が長時間に及んでしまう。
【０００９】
また、第１の基材体を強固にスカートガードに固定するには、複数のビスを用いる必要があり、ビスの締着やその解除に要する時間も増大し、第１の基材体の着脱作業がさらに長時間に及んでしまう。
【００１０】
この発明は、上記の問題を解決するためになされたものであり、ブラシが取り付けられるブラシホルダのスカートガードへの取付構造を工夫して、ブラシホルダのスカートガードへの着脱の作業時間を短縮することのできる乗客コンベアを得ることを目的とする。
【課題を解決するための手段】
【００１１】
この発明は、無端状に連結されて一対の乗降口の間を循環移動するステップと、ステップの両側にステップとの間に隙間を保ってステップの移動方向に沿って延設されたスカートガードと、スカートガードの表面側にステップの踏み面から離間して、かつステップの移動方向に沿って延設されたドレスガードと、を備えた乗客コンベアにおいて、スカートガードは、ステップの踏み面の上方でステップ側に開口するように凹設され、ステップの移動方向に沿って一対の乗降口の間に延在する取付凹部を有し、ドレスガードは、一対の乗降口の一方から他方に至るようにステップの移動方向に沿って取付凹部内に固定され、それぞれ、ステップの移動方向及びステップの幅方向に直交する方向で互いに離間する方向に延出された少なくとも一対の被係合部を有する複数のホルダ装着体と、それぞれ、当接面、及び当接面に対向する先端面を有する長尺体に作製された基部、及び互いに相対するように先端面と反対側に基部から延出され、基部からの延出端部にそれぞれ係合部を有する少なくとも一対の足部を有し、当接面がホルダ装着体に当接するとともに、一対の係合部が一対の被係合部に係合を解除可能に係合してホルダ装着体に保持され、基部がステップの幅寸法を減じる方向にスカートガードの表面から突出するようにステップの移動方向に沿って隙間無く連設された複数のブラシホルダと、基部の長さ方向の全域にわたってステップの幅寸法を減じる方向にブラシホルダから突出するように配設されたブラシと、
を備えている。
【発明の効果】
【００１２】
この発明によれば、所定のブラシホルダのホルダ装着体への着脱は、係合部と被係合部との係合、及びその解除を行うだけで可能となる。つまり、所定のブラシホルダのホルダ装着体を介したスカートガードへの着脱を、ビスを用いることなく、また、各ブラシホルダをステップの移動方向に沿ってスライド移動させることなく行えるので、所望のブラシホルダのスカートガードへの着脱作業の負荷が軽減される。これにより、ブラシホルダのスカートガードへの着脱の作業時間を短縮することができる。
【図面の簡単な説明】
【００１３】
【図１】この発明の一実施の形態に係るエスカレータにおけるドレスガード周りを示す要部斜視図である。
【図２】この発明の一実施の形態に係るエスカレータにおけるドレスガード周りを示す要部断面図である。
【図３】この発明の一実施の形態に係るエスカレートにおけるドレスガードの要部分解斜視図である。
【図４】この発明の一実施の形態に係るエスカレータにおけるブラシホルダのスカートガードへの着脱作業を説明する図である。
【図５】この発明の一実施の形態に係るエスカレータにおけるブラシホルダのスカートガードへの着脱作業を説明する図である。
【図６】この発明の一実施の形態に係るエスカレータにおけるブラシホルダのスカートガードへの着脱作業を説明する図である。
【発明を実施するための形態】
【００１４】
以下、この発明を実施するための最良の形態について、図面を参照して説明する。
図１はこの発明の一実施の形態に係るエスカレータにおけるドレスガード周りを示す要部斜視図、図２はこの発明の一実施の形態に係るエスカレータにおけるドレスガード周りを示す要部断面図、図３はこの発明の一実施の形態に係るエスカレートにおけるドレスガードの要部分解斜視図、図４〜図６はそれぞれこの発明の一実施の形態に係るエスカレータにおけるブラシホルダのスカートガードへの着脱作業を説明する図である。
【００１５】
図１において、乗客コンベアとしてのエスカレータ１は、無端状に連結されて、一方の乗降口２と他方の乗降口（図示せず）との間を循環移動するステップ３と、ステップ３の移動方向に沿ってステップ３の両側に立設された一対の欄干４と、欄干４に案内されてステップ３と同期して移動するハンドレール７と、を備えている。一対の欄干４は、ステップ３の移動方向に沿ってステップ３の両側に立設された欄干パネル５、及びステップ３の両側にステップ３との間の隙間を保ってステップ３の移動方向に沿って延設されて、欄干パネル５とステップ３とを仕切るスカートガード６などを備えている。また、エスカレータ１は、スカートガード６のステップ３側の表面に、ステップ３の踏み面３ａから離間して、ステップ３の移動方向に沿って一方の乗降口２から他方の乗降口に至るように延設されたドレスガード１０を備えている。
【００１６】
そして、一対の欄干４のスカートガード６のそれぞれは、図２に示されるように、ステップ３の踏み面３ａの上方でステップ３側に開口する取付凹部６Ａが、ステップ３の移動方向に沿って一方の乗降口２から他方の乗降口まで延在するように凹設されている。このとき、取付凹部６Ａは、ステップ３の幅方向に所定の深さで、かつ、ステップ３の幅方向及びステップ３の移動方向に直交する方向に所定の幅で延在している。
また、取付凹部６Ａの底を構成するスカートガード６の部位には、貫通孔６ａが、ステップ３の移動方向に沿って所定の間隔で形成されている。
【００１７】
次いで、ドレスガード１０の構成について説明する。
図１〜図３において、ドレスガード１０は、一対の欄干のそれぞれのスカートガード６に装着される。
そして、ドレスガード１０は、ステップ３の移動方向に沿って一方の乗降口２から他方の乗降口に至るように設けられ、それぞれ取付凹部６Ａ内でスカートガード６に固定されるホルダ装着体２０と、ホルダ装着体２０に着脱可能に装着され、ステップ３の踏み面３ａから離間して、ステップ３の移動方向に沿って一方の乗降口２から他方の乗降口に至るように隙間なく連設される複数のブラシホルダ３０と、それぞれ、ブラシ４１が植立され、各ブラシホルダ３０に装着されるブラシ支持体４０と、を備える。
以下では、一方の乗降口２を、下階の乗降口２とする。
【００１８】
ホルダ装着体２０は、図３に示されるように、矩形平板状の底壁部２２、及び底壁部２２の長手方向に平行な両縁部から延出して相対する一対の側壁部２３ａ，２３ｂを有する断面コ字状の本体部２１と、一対の側壁部２３ａ，２３ｂの先端から互いに相反する方向に延在する一対の被係合部としてのツバ部２４Ａ，２４Ｂと、を備える。なお、本体部２１の溝の深さは、取付凹部６Ａの深さの半分程度の浅さとなっている。また、本体部２１の側壁部２３ａ，２３ｂの間の間隔で規定される溝幅は、取付凹部６Ａの幅の半分程度の広さとなっている。
【００１９】
また、一方のツバ部２４Ａの側壁部２３ａからの突出端側は、突出端に向かって漸次先細りに形成されている。このとき、ツバ部２４Ａの厚み方向に相対する壁面のうち、底壁部２２側の壁面が側壁部２３ａに直交する係合面２５ａを構成し、係合面２５ａと反対側の壁面が、ツバ部２４Ａの突出端に向かって漸次係合面２５ａ側に傾斜する傾斜部を有する支持面２６ａを構成している。
【００２０】
また、他方のツバ部２４Ｂの厚み方向に相対する壁面は、いずれも側壁部２３ｂに直交し、底壁部２２側の壁面が側壁部２３ｂに直交する係合面２５ｂを構成し、係合面２５ｂと反対側の壁面が支持面２６ｂを構成している。
【００２１】
また、複数の長穴２２ａが、その長軸方向を底壁部２２の長手方向に一致させ、かつ、底壁部２２の長手方向に互いに離間するように底壁部２２に形成されている。
【００２２】
ブラシホルダ３０は、樹脂などを用いて作製され、図３に示されるように、当接面３１ａ、及び当接面３１ａに対向する先端面３１ｂを有する長尺体の基部３１と、互いに相対するように先端面３１ｂと反対側に基部３１から延出され、基部３１からの延出端部に第１係合部３８ｂを有する第１足部３８及び基部３１からの延出端部に第２係合部３９ｂを有する第２足部３９からなる３つの支持体係合手段３７と、を備えている。３つの支持体係合手段３７のそれぞれは、基部３１の長手方向に互いに離間する位置のそれぞれに配置されている。
【００２３】
基部３１は、矩形平板状のホルダ底壁部３２、及びホルダ底壁部３２の長手方向に平行な両縁部から延出して相対する一対のホルダ側壁部３３ａ，３３ｂを有している。そして、ホルダ底壁部３２の外壁が、ツバ部２４Ａ，２４Ｂに押しあてられる部位を有する基部３１の当接面３１ａを構成し、当接面３１ａと相対するホルダ側壁部３３ａ，３３ｂの延出端側の端面が基部３１の先端面３１ｂを構成している。
【００２４】
また、ホルダ側壁部３３ａ，３３ｂの相対する壁面の間隔は、ホルダ側壁部３３ａ，３３ｂの先端に向かうにつれて漸次狭くなっており、溝形状を断面等脚台形とするスライド溝３５が、ホルダ側壁部３３ａ，３３ｂとホルダ底壁部３２とで構成されている。このように、スライド溝３５は、溝方向を基部３１の長さ方向に一致させ、先端面３１ｂに開口するように基部３１の長さ方向の全域にわたって形成されている。
そして、一方のホルダ側壁部３３ｂの延出端側の部位は、ホルダ底壁部３２側の部位からステップ状にスライド溝３５と反対側に延出するように形成され、当該延出部位がスカートガード６に押しあてられるスカートガード当接部３４を構成している。
【００２５】
次いで、支持体係合手段３７の詳細について説明する。
第１足部３８は、その長手方向の一端がホルダ側壁部３３ａのホルダ底壁部３２からの延出端側の外壁の部位に接続されて、スライド溝３５の深さ方向に延在する第１足本体部３８ａ、第１足本体部３８ａの長手方向の他端からスライド溝３５の幅中心側に第１足本体部３８ａに略垂直に延出する第１係合部３８ｂ、及び第１足本体部３８ａの他端から延出し、第１足本体部３８ａのホルダ側壁部３３ａと反対側で、第１足本体部３８ａの他端から一端側に所定の長さまでの部位と隙間をあけて相対する係合解除作用部としてのツメ部３８ｃ、を備える。
【００２６】
そして、第１足本体部３８ａの長さ方向の他端は、スライド溝３５の深さ方向に関して当接面３１ａから突出する位置にあり、第１足本体部３８ａとホルダ側壁部３３ａとの間には、所定の隙間が形成されている。また、スライド溝３５の深さ方向に関し、当接面３１ａと第１係合部３８ｂの間の間隔は、ホルダ装着体２０におけるツバ部２４Ａの側壁部２３ａ側の厚みに略一致している。
【００２７】
そして、第１足本体部３８ａとホルダ側壁部３３ａとが相対する方向の力が、第１足本体部３８ａの長手方向の他端側に作用すると、第１足部３８の有する弾性により、第１足本体部３８ａの他端側が、加えられた力の方向に移動可能になっている。例えば、ツメ部３８ｃが、ホルダ側壁部３３ａと反対側に押圧されると、第１足本体部３８ａは、その長手方向の他端側ほどホルダ側壁部３３ａの外壁を含む面からの間隔が離れるように弾性変形する。
【００２８】
第２足部３９は、長手方向の一端がスカートガード当接部３４の近傍のホルダ側壁部３３ｂの外壁の部位に接続されて、先端面３１ｂと反対側に向かってスライド溝３５の深さ方向に延在する第２足本体部３９ａ、及び第２足本体部３９ａの長手方向の他端からスライド溝３５の幅中心側に第２足本体部３９ａに垂直に延出する第２係合部３９ｂを備える。このとき、第２足本体部３９ａの長手方向の他端側は、スライド溝３５の深さ方向に関して基部３１の当接面３１ａから延出している。また、第２足本体部３９ａとホルダ側壁部３３ｂとの間には、所定の隙間が形成されている。
【００２９】
そして、第２足本体部３９ａとホルダ側壁部３３ｂが相対する方向の力が第２足本体部３９ａの長手方向の他端側に作用すると、第２足本体部３９ａの他端側が、加えられた力の方向に移動可能になっている。
【００３０】
また、スライド溝３５の深さ方向に関し、当接面３１ａと第２係合部３９ｂの間の間隔は、ツバ部２４Ｂの厚みに略一致しており、第１係合部３８ｂの突出端と第２係合部３９ｂの突出端が対向している。さらに、第１足本体部３８ａ及び第２足本体部３９ａの相対する壁面間の間隔が、ホルダ装着体２０におけるツバ部２４Ａの側壁部２３ａからの延出端とツバ部２４Ｂの側壁部２３ｂからの延出端との間の間隔に対応している。
【００３１】
ブラシ支持体４０は、図３に示されるように、スライド溝３５の溝形状とほぼ同一の断面形状を有し、基部３１と同じ長さの棒状体に作製されている。このとき、ブラシ支持体４０の断面等脚台形における平行な縁部のうち、長さの短い縁部を構成する面をブラシ取付面４０ａとする。
【００３２】
そして、ブラシ４１が、ブラシ取付面４０ａにブラシ支持体４０の長手方向の全域に亘って植立されている。そして、ブラシ支持体４０は、ブラシ４１をホルダ底壁部３２と反対に向け、基部３１の長手方向の一端からスライド溝３５内にスライド式に嵌合されて、基部３１に装着される。このとき、ブラシ４１がスライド溝３５の開口から延出する。
【００３３】
次いで、ドレスガード１０のスカートガード６への取り付け方法について説明する。
まず、ホルダ装着体２０の一つの向きを、底壁部２２の外壁を取付凹部６Ａの底に相対させ、ツバ部２４Ａがツバ部２４Ｂの下方にくるように調整する。さらに、本体部２１の長手方向がステップ３の移動方向に一致するように、また、長穴２２ａがスカートガード６の貫通孔６ａに相対するように、ホルダ装着体２０を取付凹部６Ａ内に配置する。
【００３４】
そして、図２に示されるように、ホルダ装着体２０の長穴２２ａ及びスカートガード６の貫通孔６ａにボルト５０をホルダ装着体２０の溝内から挿通し、スカートガード６の裏面側からナット５１をボルト５０に螺合して、ホルダ装着体２０をスカートガード６に締着固定する。このとき、一対のツバ部２４Ａ，２４Ｂは、ステップ３の移動方向及びステップ３の幅方向に直交する方向で互いに離間する方向に側壁部２３ａ，２３ｂから延出されている。そして、ツバ部２４Ａの突出端と、ツバ部２４Ａの突出端と相対するスカートガード６との間には、第１係合部３８ｂ及びツメ部３８ｃを挿入可能な隙間が形成される。また、ツバ部２４Ｂの突出端と、ツバ部２４Ｂの突出端と相対するスカートガード６との間には、第２係合部３９ｂを挿入可能な隙間が形成される。
【００３５】
以下、順次、複数のホルダ装着体２０をスカートガード６に装着し、上階の乗降口から下階の乗降口２に至るまで、ステップ３の移動方向に沿って複数のホルダ装着体２０を隙間なく連設する。
【００３６】
次いで、ブラシ４１が植立されたブラシ支持体４０のそれぞれを、ブラシホルダ３０の基部３１のそれぞれのスライド溝３５内にスライド式に嵌合させる。
そして、スカートガード当接部３４が上部に配置され、さらに、ステップ３の移動方向に基部３１の長手方向が一致するようにブラシホルダ３０の向きを調整する。そして、第２足部３９の第２係合部３９ｂが、ツバ部２４Ｂとスカートガード６との間の隙間に挿入されるようにブラシホルダ３０を取付凹部６Ａ内に押し込み、スカートガード当接部３４を取付凹部６Ａの上方のスカートガード６の表面に当接させる。
【００３７】
さらに、第２足部３９の第２係合部３９ｂをツバ部２４Ｂの係合面２５ｂ側に当接させる。このとき、図４に示されるように、第１足部３８の第１係合部３８ｂは、ツバ部２４Ａの支持面２６ａの傾斜部上に配置される。
【００３８】
次いで、基部３１の先端面３１ｂの下端側を取付凹部６Ａの底に向かって押圧する。第１係合部３８ｂは、図５に示されるように、支持面２６ａの傾斜部に摺接しつつツバ部２４Ａの延出端に向かう。このとき、第１係合部３８ｂがツバ部２４Ａの延出端に近づくのに伴い、第１足本体部３８ａは、第１係合部３８ｂに向かってホルダ側壁部３３ａの外壁を含む面からの間隔が離れるように弾性変形する。
【００３９】
そして、第１係合部３８ｂの先端が、ツバ部２４Ａの突出端を超えると、第１係合部３８ｂがツバ部２４Ａの係合面２５ａ側にまわり込み、第１足部３８及び第２足部３９に作用する力が解放される。そして、図２に示されるように、基部３１の当接面３１ａがホルダ装着体２０のツバ部２４Ａ，２４Ｂに当接するとともに、第１係合部３８ｂ及び第２係合部３９ｂがツバ部２４Ａ，２４Ｂに係合する。このとき、当接面３１ａの長手方向に平行な両縁部近傍のそれぞれと第１係合部３８ｂ及び第２係合部３９ｂとの間にツバ部２４Ａ，２４Ｂが挟持されるように配置される。また、スカートガード当接部３４が、取付凹部６Ａの上方でスカートガード６と隙間なく密接する。これにより、ブラシホルダ３０の移動が規制され、ブラシホルダ３０は安定してホルダ装着体２０に保持される。
【００４０】
そして、基部３１の先端面３１ｂ側の部位は、スカートガード６の表面よりステップ３の幅方向を減じる方向にスカートガード６の表面から突出し、ブラシ４１は、基部３１の長さ方向の全域にわたってステップ３の幅寸法を減じる方向にブラシホルダ３０から突出するようにスライド溝３５から延出する。
【００４１】
さらに、取付凹部６Ａの深さ方向に平行な壁面のうち、ステップ３側（下側）の壁面とホルダ装着体２０及びブラシホルダ３０との間には、ステップ３側に開口する挿入空間５２が形成される。このとき、ツメ部３８ｃは、図２に示されるように挿入空間５２の開口から突出することなく挿入空間５２内に設けられている。そして、ツメ部３８ｃと第１足本体部３８ａとの間に、図６に示されるように、例えばマイナスドライバなどの棒状部材６０を挿入することが可能になっている。
【００４２】
以下、順次、ブラシホルダ３０をホルダ装着体２０に同様に装着し、上階の乗降口から下階の乗降口２に至るまで、ステップ３の移動方向に沿って複数のブラシホルダ３０を隙間なく連設する。以上により、ドレスガード１０のスカートガード６への取り付け作業が完了する。
なお、複数のブラシホルダ３０の装着順序は、特に限定されるものでなく、最終的にブラシホルダ３０が隙間なく、上階の乗降口から下階の乗降口２に至るようにステップ３の移動方向に沿って連設されていればよい。
【００４３】
次いで、上記のように構成されたドレスガード１０において、ステップ３の移動方向の所定の位置に配置された所定のブラシホルダ３０のホルダ装着体２０を介したスカートガード６からの取り外し方法について説明する。例えば、ステップ３の移動方向の中央に位置するブラシホルダ３０に嵌合されたブラシ支持体４０を新規に交換するためにブラシホルダ３０を取り外す場合について説明する。
【００４４】
まず、基部３１の長手方向に関し、例えば、最も一端側のツメ部３８ｃと第１足本体部３８ａとの間に、図６に示されるように、マイナスドライバなどの棒状部材６０を挿入し、ツメ部３８ｃをホルダ側壁部３３ａと反対側に押しつけ、第１係合部３８ｂとツバ部２４Ａとが相対しない位置まで第１足部３８を弾性変形させる。
【００４５】
このとき、ブラシホルダ３０は樹脂等で若干の弾性を有しているので、他の第１足部３８の第１係合部３８ｂがツバ部２４Ａに係合されている状態でも、弾性変形させた第１係合部３８ｂが位置するブラシホルダ３０の長手方向の部位をステップ３側にわずかながら引き出すことができる。ブラシホルダ３０の当該部位をステップ３側に引き出した後、ツメ部３８ｃの押圧を解除すると、第１係合部３８ｂは、ツバ部２４Ａの支持面２６ａ側に当接した状態となり、第１係合部３８ｂとツバ部２４Ａとの係合が解除される。
以下、同様に、順次、複数の第１足部３８の第１係合部３８ｂとツバ部２４Ａとの係合を解除する。
【００４６】
次いで、第２係合部３９ｂとツバ部２４Ｂとが相対しない位置までブラシホルダ３０をスカートガード６の表面に沿って上方に引き上げ、ブラシホルダ３０をステップ３側に引き出すことで、ブラシホルダ３０をブラシ支持体４０とともにホルダ装着体２０から取り外す作業が完了する。
【００４７】
なお、第１係合部３８ｂとツバ部２４Ａとの係合の解除により、第２係合部３９ｂとツバ部２４Ｂとの安定した係合も解除され、ブラシホルダ３０のホルダ装着体２０への安定した保持が解除されている。ここでは、第２係合部３９ｂとツバ部２４Ｂとの安定した係合の解除をもって、第２係合部３９ｂとツバ部２４Ｂとの係合が解除されたものとする。つまり、ツメ部３８ｃは、挿入空間５２の開口側からの操作により、第１係合部３８ｂ及び第２係合部３９ｂとツバ部２４Ａ及びツバ部２４Ｂとの係合を解除させる係合解除力を付与することが可能となっている。
【００４８】
次いで、ブラシ支持体４０を、ブラシホルダ３０のスライド溝３５内をスライド移動させ、ブラシ支持体４０をブラシホルダ３０から引き抜く。さらに、新規のブラシ４１が植立されたブラシ支持体４０の端部をスライド溝３５の端部に嵌合させる。そして、ブラシ支持体４０の長手方向の全域がスライド溝３５に嵌合するように、ブラシ支持体４０を、スライド溝３５内をスライド移動させてブラシホルダ３０に装着する。
【００４９】
そして、ドレスガード１０のスカートガード６への取り付け方法で説明したのと同様に、ブラシホルダ３０をホルダ装着体２０の元の位置に装着することで、ブラシホルダ３０の装着が完了し、ドレスガード１０が復元する。
【００５０】
この実施の形態によれば、取付凹部６Ａが、ステップ３の踏み面３ａの上方でステップ３側に開口するように凹設され、一対のツバ部２４Ａ，２４Ｂを有するホルダ装着体２０が、取付凹部６Ａ内に装着されている。そして、ブラシホルダ３０のそれぞれが、それぞれ係合部３８ｂ，３９ｂを有する足部３８，３９を有している。そして、ブラシホルダ３０は、その当接面３１ａがホルダ装着体２０に当接するとともに、一対の係合部３８ｂ，３９ｂが一対のツバ部２４Ａ，２４Ｂに係合してホルダ装着体２０に保持されている。
また、ブラシホルダ３０は、一対の係合部３８ｂ、３９ｂと一対のツバ部２４Ａ，２４Ｂとの係合を解除させる係合解除力を付与するためのツメ部３８ｃを備えている。
【００５１】
そして、所定のブラシホルダ３０のホルダ装着体２０からの取り外しは、第１係合部３８ｂとツバ部２４Ａとの係合を解除したのち、第２係合部３９ｂとツバ部２４Ｂとの間の係合を解除するようにスカートガード６の表面に沿って移動させ、さらに、ステップ３側にスカートガード６から引き抜くだけで行うことができる。また、所定のブラシホルダ３０のホルダ装着体２０への装着は、第２係合部３９ｂをツバ２４Ａに当接させるように掛けあわせた後、基部３１の先端面３１ｂを取付凹部６Ａ側に向かって押し込むだけで行える。
【００５２】
つまり、所定のブラシホルダ３０のホルダ装着体２０を介したスカートガード６への着脱は、係合部３８ｂ，３９ｂとツバ部２４Ａ，２４Ｂとを係合させたり、係合を解除したりするだけで可能となる。つまり、所定のブラシホルダ３０のホルダ装着体２０を介したスカートガード６への着脱を、ビスを用いることなく、また、各ブラシホルダ３０をステップ３の移動方向に沿ってスライド移動させることなく行えるので、所望のブラシホルダ３０のホルダ装着体２０を介したスカートガード６への着脱作業の負荷が軽減される。これにより、ブラシホルダ３０のホルダ装着体２０を介したスカートガード６への着脱の作業時間を短縮することができる。
【００５３】
また、このように構成されたエスカレータ１では、利用者は、ステップ３の幅方向両側でステップ３の移動方向に延在しているドレスガード１０を確認し、自然とステップ３の幅方向中央に移動することになる。そこで、利用者の荷物などがステップ３とスカートガード６との間の隙間に挟まれるような事態が未然に回避される。
また、利用者の荷物などがステップ３の幅方向端部に近づくと、荷物などがブラシ４１に接触し、摺接音が発生するので、利用者は、荷物などがステップの幅方向端部に近づいたことを認識できる。そこで、利用者は、荷物などをステップ３の幅方向中央寄りに置き換えることができ、荷物などがステップ３とスカートガード６との間の隙間に挟まれるような事態が未然に回避される。
【００５４】
また、ツメ部３８ｃは、スカートガード６の表面からステップ３側に突出することなく挿入空間５２に配置されている。従って、ブラシホルダ３０の取り外し方法を認知しているエスカレータ１の管理者だけが、ツメ部３８ｃを挿入空間５２の開口側から操作し、ブラシホルダ３０を取り外すことが可能となる。つまり、エスカレータ１の利用者が、悪戯によってブラシホルダ３０を取り外すことを防止できる。
【００５５】
なお、この実施の形態では、ブラシ４１が植立されたブラシ支持体４０を、スライド溝３５にスライド式に嵌合させてブラシホルダ３０に装着することで、ブラシ４１をブラシ支持体４０を介してブラシホルダ３０に取り付けるものとして説明したが、ブラシ支持体４０を省略し、ブラシ４１を以下に説明するように作製した基部に直接植立してもよい。
例えば、基部３１のスライド溝３５を埋めた形状に作製した長尺体を基部として用い、当該基部と第１足部３８及び第２足部３９とからなる部材をブラシホルダとする。このとき、当接面３１ａに対向する基部の壁面が先端面となり、ブラシ４１は、例えば、ブラシホルダの先端面から突出するように、先端面に基部の長さ方向全域にわたって植立すればよい。
【００５６】
但し、ブラシ４１は摩耗する消耗部品であるので、ブラシホルダ３０に比べて短い間隔で交換する必要がある。ブラシホルダ３０とブラシ支持体４０を別体に設けることで、不必要にブラシホルダ３０を交換することがなくなる。なお、ブラシホルダ３０は見栄えを重視する必要があるのでコストをかけて作製する必要があるが、ブラシ支持体４０はブラシ４１に遮蔽されるので、見栄えを気にすることなく安価な材料で構成できる。
【００５７】
また、ドレスガード１０はステップ３の両側に配設されているスカートガード６に取り付けられているものとして説明したが、ドレスガード１０は、ステップ３の一側に配設されているスカートガード６のみに取り付けられてもよい。
また、本発明は、エスカレータ１に適用するものとして説明しているが、例えば、乗客コンベアとしての動く歩道に適用しても、同様の効果を得ることができる。
【００５８】
また、複数のホルダ装着体２０は、上階の乗降口から下階の乗降口２に至るまで、ステップ３の移動方向に沿って隙間なくスカートガード６に連設するものとして説明したが、ホルダ装着体２０は、隙間なく連設するものに限定されず、ブラシホルダ３０の第１足部３８及び第２足部３９との係合箇所に対応するステップ３の移動方向の位置のそれぞれに対応するスカートガード６の部位に装着されていればよい。
【００５９】
また、一対のツバ部２４Ａ，２４Ｂを、本体部２１の長手方向全域にわたって本体部２１から延出するように形成するものとして説明したが、複数対のツバ部２４Ａ，２４Ｂを、本体部２１の長手方向に互いに間隔をあけて形成してもよい。この場合、ツバ部２４Ａ，２４Ｂの互いの間の間隔は、ブラシホルダ３０の支持体係合手段３７の互いの間の間隔に対応させればよい。
また、ホルダ装着体２０のそれぞれは、一体に形成するものとして説明したが、ホルダ装着体のそれぞれは、別々に作製した第１ツバ部を有する部材と第２ツバ部を有する部材により構成されているものでもよい。
【００６０】
また、３つの支持体係合手段３７（３対の第１足部３８及び第２足部３９）のそれぞれを、基部３１の長手方向に互いに離間する位置のそれぞれに配置するものとして説明したが、支持体係合手段３７の数は３つ以外であってもよい。
【００６１】
また、ブラシ支持体４０を新規に交換するためにブラシホルダ３０を取り外す場合について説明したが、ステップ３を取り外してトラス（図示せず）内の保守点検などを行う場合、ブラシホルダ３０、及びブラシ４１が植立されたブラシ支持体４０がステップ３の取り外しの邪魔になるので、ステップ３の着脱位置に対応する位置にあるブラシホルダ３０をブラシ支持体４０とともに取り外す必要がある。つまり、ブラシホルダ３０の着脱作業を伴うステップ３の取り外しの作業時間が短くなるので、トラス内の保守点検の作業時間も短縮することができる。
【符号の説明】
【００６２】
１  乗客コンベア、２  乗降口、３  ステップ、３ａ  踏み面、６  スカートガード、６Ａ  取付凹部、１０  ドレスガード、２０  ホルダ装着体、２４ａ，２４Ｂ  ツバ部（被係合部）、３０  ブラシホルダ、３１  基部、３１ａ  当接面、３１ｂ  先端面、３５  スライド溝、３８，３９  足部、３８ｂ，３９ｂ  係合部、３８ｃ  ツメ部（係合解除作用部）、４０  ブラシ支持体、４１  ブラシ、５２  挿入空間。
【図１】
2010159147.tif 000003
【図２】
2010159147.tif 000004
【図３】
2010159147.tif 000005
【図４】
2010159147.tif 000006
【図５】
2010159147.tif 000007
【図６】
2010159147.tif 000008